(57)【要約】【課題】高い密封性と改ざん防止性を有し、かつ、内容物の取り出しがスムーズに実行でき、再封性能を損ない難い菓子等の食品の包装袋を提供する。【解決手段】前面側のシート１１の表面に、上縁ヒートシール部１６よりも所定高さだけ下方にずれた位置に備えられた感圧粘着剤層１７の表面は、帯状プラスチックフィルム１３で覆われている。また、上縁ヒートシール部１６の下端と感圧粘着剤層１７の上端との間に、後面側のシート１２の裏面に感圧粘着剤層１７の上端とほぼ平行に左右の縁の間に渡す様にティアテープ１８が貼り付けられている。また、後面側のシートの外面に開封後の袋の上部を後方へ丸める様に折り返して後面側のシート１２の表面に前記感圧粘着剤層１７を押し付ける再封方法を表示する再封方法説明表示印刷４１が施されている。【選択図】  図１
0003161665.tif 000002
【実用新案登録請求の範囲】
【請求項１】
プラスチックフィルム製の前面側のシート及び後面側のシートの上縁及び左右の縁を互いに熱融着されて下縁を開口とされると共に、さらに以下の構成を備えることを特徴とする包装袋。
（１Ａ）前記前面側のシートの表面には、前記上縁のヒートシール部よりも所定高さだけ下方にずれた位置に感圧粘着剤を幅方向に帯状に付着させた感圧粘着剤層を備えていること。
（２Ａ）前記感圧粘着剤層の表面は、該感圧粘着剤層の全幅よりも広幅の帯状プラスチックフィルムで覆われていること。
（３Ａ）前記後面側のシートの裏面に、前記上縁のヒートシール部の下端と前記感圧粘着剤層の上端との間に、該感圧粘着剤層の上端とほぼ平行に左右の縁の間に渡す様にティアテープが貼り付けられていること。
【請求項２】
後面側で上下方向にヒートシール部を形成された筒状プラスチックフィルムの上縁をヒートシールによって閉鎖し、下縁を開口のままとすると共に、さらに以下の構成を備えることを特徴とする包装袋。
（１Ｂ）前面側のシートの表面には、前記上縁のヒートシール部よりも所定高さだけ下方にずれた位置に感圧粘着剤を幅方向に帯状に付着させた感圧粘着剤層を備えていること。
（２Ｂ）前記感圧粘着剤層の表面は、該感圧粘着剤層の全幅よりも広幅の帯状プラスチックフィルムで覆われていること。
（３Ｂ）後面側のシートの裏面に、前記上縁のヒートシール部の下端と前記感圧粘着剤層の上端との間に、該感圧粘着剤層の上端とほぼ平行に左右の縁の間に渡す様にティアテープが貼り付けられていること。
【請求項３】
さらに、以下の構成をも備えることを特徴とする請求項１又は２記載の包装袋。
（４）開封後の袋の上部を上部を後方へ丸める様に折り返して前記後面側のシートの表面に前記前記感圧粘着剤層を押し付ける再封方法を表示する再封方法説明表示を印刷したこと。
【請求項４】
さらに、以下の構成をも備えることを特徴とする請求項１又は２記載の包装袋。
（５）開封後の袋の上部を後方へ丸める様に折り返して前記後面側のシートの表面に前記前記感圧粘着剤層を押し付ける再封方法を表示する再封方法説明表示シールを貼り付けたこと。
【請求項５】
さらに、以下の構成をも備えることを特徴とする請求項１又は２記載の包装袋。
（６）開封後の袋の上部を後方へ丸める様に折り返して前記後面側のシートの表面に前記前記感圧粘着剤層を押し付ける再封方法を表示する再封方法説明表示シートを封入したこと。
【考案の詳細な説明】
【技術分野】
【０００１】
本考案は、密封性が高く改ざん防止性を備えると共に、開封も再封も容易な包装袋に関する。
【背景技術】
【０００２】
従来、再封性を備えた包装袋の提案が種々なされている（例えば、特許文献１〜３）。
【０００３】
これら特許文献１〜３の包装袋は、密封された状態の包装袋の一部を切り取ることで初めて開封可能とすることで改ざん防止性を有し、菓子等の食品の包装にも適する。
【特許文献１】特開２０００−２７２６３３号公報
【特許文献２】実開平６−７１４５３号公報
【特許文献３】特開２００６−１９９３４３号公報
【考案の概要】
【考案が解決しようとする課題】
【０００４】
しかし、特許文献１の包装袋は再封のための雄係合部１８と雌係合部２０を備えた構造で（図９（Ａ）参照）、ファスナー部品が必要となり、製造工程が複雑でコスト高になるという問題がある。
【０００５】
特許文献２の包装袋は袋の内側面の再閉鎖部１５で再封を行う構造で（図９（Ｂ）参照）、開封して菓子等を取り出す際に、菓子自体が再閉鎖部１５の粘着剤に付着して取り出し難くしたり、菓子の粉が再閉鎖部１５の粘着剤に付着して再封し難くするという問題がある。
【０００６】
特許文献３の包装袋も袋の上部内面の粘着性樹脂層２３で再封を行う構造であるため（図９（Ｃ）参照）、特許文献２と同様の問題がある。
【０００７】
本考案の目的は、菓子等の食品の包装にも適する高い密封性と改ざん防止性を有し、かつ、内容物の取り出しがスムーズに実行でき、再封性能を損ない難い包装袋を提供することにある。
【課題を解決するための手段】
【０００８】
上記目的を達成するためになされた本願第１考案の包装袋は、プラスチックフィルム製の前面側のシート及び後面側のシートの上縁及び左右の縁を互いに熱融着されて下縁を開口とされると共に、さらに以下の構成を備えることを特徴とする。
（１Ａ）前記前面側のシートの表面には、前記上縁のヒートシール部よりも所定高さだけ下方にずれた位置に感圧粘着剤を幅方向に帯状に付着させた感圧粘着剤層を備えていること。
（２Ａ）前記感圧粘着剤層の表面は、該感圧粘着剤層の全幅よりも広幅の帯状プラスチックフィルムで覆われていること。
（３Ａ）前記後面側のシートの裏面に、前記上縁のヒートシール部の下端と前記感圧粘着剤層の上端との間に、該感圧粘着剤層の上端とほぼ平行に左右の縁の間に渡す様にティアテープが貼り付けられていること。
【０００９】
同じく、上記目的を達成するためになされた本願第２考案の包装袋は、後面側で上下方向にヒートシール部を形成された筒状プラスチックフィルムの上縁をヒートシールによって閉鎖し、下縁を開口のままとすると共に、さらに以下の構成を備えることを特徴とする。
（１Ｂ）前面側のシートの表面には、前記上縁のヒートシール部よりも所定高さだけ下方にずれた位置に感圧粘着剤を幅方向に帯状に付着させた感圧粘着剤層を備えていること。
（２Ｂ）前記感圧粘着剤層の表面は、該感圧粘着剤層の全幅よりも広幅の帯状プラスチックフィルムで覆われていること。
（３Ｂ）後面側のシートの裏面に、前記上縁のヒートシール部の下端と前記感圧粘着剤層の上端との間に、該感圧粘着剤層の上端とほぼ平行に左右の縁の間に渡す様にティアテープが貼り付けられていること。
【００１０】
本願第１，第２の各考案の包装袋によれば、下縁開口を上に向けて充填装置に袋をセットし、内容物を収納して下縁開口をヒートシールすれば密封状態とし、ティアテープの上部を手で切り取って開封するものであり、高い密封性と改ざん防止性を備える。また、開封後は、帯状プラスチックフィルムを剥がして前面側のシートが谷となる様に前方に折ることで、感圧粘着剤層を前面側のシートに粘着させて再封することも、前面側のシートが山となる様に後方に巻き込む様にして感圧粘着剤層を後面側のシートに粘着させて再封することもできる。感圧粘着剤層は前面側のシート表面に形成されているので、内容物を取り出す際に感圧粘着剤層に内容物自体又はその粉などが付着しない。また、感圧粘着剤層は、帯状プラスチックフィルムによって覆われているので、開封前に粘着性能を損なうこともない。
【００１１】
ここで、本願第１，第２の考案の包装袋は、以下の構成をも備えるとよい。
（４）開封後の袋の上部を上部を後方へ丸める様に折り返して前記後面側のシートの表面に前記前記感圧粘着剤層を押し付ける再封方法を表示する再封方法説明表示を印刷したこと。
【００１２】
また、本願第１，第２の考案の包装袋は、以下の構成をも備える様にしてもよい。
（５）開封後の袋の上部を後方へ丸める様に折り返して前記後面側のシートの表面に前記前記感圧粘着剤層を押し付ける再封方法を表示する再封方法説明表示シールを貼り付けたこと。
【００１３】
あるいは、本願第１，第２の考案の包装袋は、以下の構成をも備える様にしてもよい。
（６）開封後の袋の上部を後方へ丸める様に折り返して前記後面側のシートの表面に前記前記感圧粘着剤層を押し付ける再封方法を表示する再封方法説明表示シートを封入したこと。
【００１４】
こうした表示をすることにより、裏側に巻き込む様にして再封する方法を利用者に容易に理解させることができる。裏側に巻き込む再封方法では、折り目が複数箇所となるので、再封後の湿気等の進入をより的確に防止することができる。
【考案の効果】
【００１５】
本考案の包装袋によれば、高い密封性と改ざん防止性を有し、かつ、内容物の取り出しがスムーズに実行でき、再封性能を損ない難いという効果が発揮され、菓子等の食品の包装にも適する。
【図面の簡単な説明】
【００１６】
【図１】実施例１の包装袋を示し、（Ａ）は正面図、（Ｂ）は背面図である。
【図２】実施例１の包装袋の再封方法説明表示の内容を示す説明図である。
【図３】実施例１の包装袋への内容物充填方法を示す説明図である。
【図４】実施例１の包装袋の開封方法を示す説明図である。
【図５】実施例１の包装袋の再封方法を示す説明図である。
【図６】実施例２の包装袋を示し、再封方法説明表示ラベルを貼り付ける様子を示す背面図である。
【図７】実施例３の包装袋において、再封方法説明表示シートを内容物と共に充填する方法を示す説明図である。
【図８】実施例４の包装袋を示し、再封方法説明表示ラベルを貼り付ける様子を示す背面図である。
【図９】従来例の説明図である。
【考案を実施するための形態】
【００１７】
以下に、本考案を実施するための形態を、いくつかの実施例に基づいて説明する。
【実施例１】
【００１８】
実施例１の包装袋１０は、図１に示す様に、前面側のシート１１の表面に、上縁ヒートシール部１６の下端から所定高さだけ下方の位置を上端とする様に感圧粘着剤を２列帯状にコーティングして形成された感圧粘着剤層１７を備える。この感圧粘着剤層１７の表面は、帯状プラスチックフィルム１３で覆われている。また、上縁ヒートシール部１６の下端と感圧粘着剤層１７の上端との間に、後面側のシート１２の裏面に感圧粘着剤層１７の上端とほぼ平行に左右の縁の間に渡す様にティアテープ１８が貼り付けられている。そして、このティアテープ１８の上端位置をノッチ先端とするＶノッチ３１，３１を形成している。また、後面側のシート１２の外面に、再封方法説明表示印刷４１が施されている。
【００１９】
再封方法表示印刷４１は、図２に示す様に、開封後の袋の上部を前方へ折り曲げて前面側のシート１１の表面に感圧粘着剤層１７を押し付ける再封方法４１ａ，４１ｂに加えて、開封後の袋の上部を後方へ丸める様に折り返して後面側のシート１２の表面に前記感圧粘着剤層１７を押し付ける再封方法４１ｃを表示したものとなっている。
【００２０】
こうして製造された包装袋１０は、図３に示す様に、下端開口２０を上に向けて、自動充填装置などによって内容物２１，２２，２３を収納した後、下端開口２０をヒートシールして閉じる。これにより、内容物２１，２２，２３は密封状態に収納された状態となる。帯状プラスチックフィルム１３が感圧粘着剤層１７を覆っているので、内容物２１等を収納する際に、感圧粘着剤層１７に内容物の粉などが付着して粘着性能を損なう事態が防止される。よって、菓子などの様に湿気を避けるべき内容物に対しても使用することができる。
【００２１】
この様にして内容物２１等を収納した包装袋１０から内容物２１等を取り出す際には、図４に示す様に、Ｖノッチ３１で横へ引き裂く様にして開封することができる。このとき、ティアテープ１８の作用により、包装袋１０の上縁ヒートシール部１６の直ぐ下の部分が横方向に直線状に切り裂かれ、袋が開口する。内容物２１等の一部を取り出した後、残りをとっておく場合は、帯状プラスチックフィルム１３を剥がして感圧粘着剤層１７を露出させ、図５（Ａ）に示す様に、袋の上部を折り目１９から前方へ折り返して前面側のシート１１の表面に感圧粘着剤層１７を粘着させる様にして再封することができる。ここで、図５（Ｂ）に示す様に、開封口に近い方の折り目１９ｂが下方になり、開封口から遠い方の折り目１９ａが上になる様に、袋の上部を裏側に巻き込む様にして、後面側のシート１２の外面に感圧粘着剤層１７を粘着させる方法で再封することもできる。
【００２２】
この結果、本実施例によれば、菓子などを一部消費した後に、残りを再封して保存することができると共に、残量に応じて折ることができるので、袋の内部にできるだけ空気が残らない様に再封することができる。また、再封方法説明表示印刷４１が施されていることにより、裏側に巻き込む様にして再封する方法を利用者に容易に理解させることができる。裏側に巻き込む再封方法では、折り目１９ａ，１９ｂが複数箇所となるので、再封後の湿気等の進入をより的確に防止することができる。
【００２３】
なお、包装袋１０は、例えば、ポリオレフィン系樹脂製の帯状プラスチックフィルム（例としてサントックス社製のＯＰＰフィルム厚さ３０μ、同社製ＣＰＰフィルム厚さ３０μなど。）を用いる場合、感圧粘着剤としてはエチレン系共重合体系のもの（例として日本エヌシー株式会社製の商品名「デュロタック９Ｚ９１０」、同「インスタントロック  ＺＭ１０５Ｔ」、同「インスタントロック  ＺＭ１０５ＢＤ」など。）を、用いることができる。
【実施例２】
【００２４】
実施例２の包装袋５２は、実施例１の包装袋１０とほぼ同様の構成であるが、再封方法説明表示印刷４１に代えて、図６に示す様に、開封後の袋の上部を前方へ折り曲げて前面側のシート１１の表面に感圧粘着剤層１７を押し付ける再封方法と、開封後の袋の上部を後方へ丸める様に折り返して後面側のシート１２の表面に前記感圧粘着剤層１７を押し付ける再封方法を表示する再封方法説明表示ラベル４２を、後面側のシート１２に貼り付けたものである。再封方法説明表示ラベル４２の記載内容は、実施例１と同じである。
【実施例３】
【００２５】
実施例３の包装袋５３は、実施例１の包装袋１０とほぼ同様の構成であるが、再封方法説明表示印刷４１に代えて、図７に示す様に、開封後の袋の上部を前方へ折り曲げて前面側のシート１１の表面に感圧粘着剤層１７を押し付ける再封方法と、開封後の袋の上部を後方へ丸める様に折り返して後面側のシート１２の表面に前記感圧粘着剤層１７を押し付ける再封方法を表示する再封方法説明表示シート４３を、袋内に封入したものとなっている。再封方法説明表示シート４３の記載内容は、実施例１と同じである。
【実施例４】
【００２６】
実施例４の包装袋５４は、実施例２の包装袋５２とほぼ同様の構成であるが、図８に示す様に、袋自体が左右の縁をヒートシールしたものではなく、後面側で上下方向にヒートシール部を形成された筒状プラスチックフィルムの上縁をヒートシールによって閉鎖し、下縁を開口のままとしたものであって、その後面側のシート１２の外面に、再封方法説明表示ラベル４２を、後面側のシート１２に貼り付けたものである。再封方法説明表示ラベル４２の記載内容は、実施例１と同じである。
【００２７】
以上、本考案の実施例を説明したが、本考案はこれらの実施形態に限定されるものではなく、その要旨を逸脱しない範囲内で種々に実施することができる。
【００２８】
例えば、実施例４のタイプの後面側で上下方向にヒートシール部を形成された筒状プラスチックフィルムの上縁をヒートシールによって閉鎖し、下縁を開口のままとした実施例４のタイプの包装袋においても、再封方法説明表示ラベル４２に代えて、再封方法表示印刷４１を印刷したり、再封方法表示シート４３を封入したりしても構わない。また、Ｖノッチに代えてＩノッチとしても構わない。加えて、感圧粘着剤層１７は、２列帯状に限らず、１列でも３列以上でもよい。
【産業上の利用可能性】
【００２９】
本考案は内容物の一部を取り出して使用し、残りを保存したいときに利用でき、食品や雑貨、また薬品分野のＰＴＰ（Press Through Package）など、各種物品を収納するための包装袋として利用できる。
【符号の説明】
【００３０】
１０・・・包装袋
１１・・・前面側のシート
１２・・・後面側のシート
１３・・・帯状プラスチックフィルム
１６・・・上縁ヒートシール部
１７・・・感圧粘着剤層
１８・・・ティアテープ
１９，１９ａ，１９ｂ・・・折り目
２０・・・下端開口
２１，２２，２３・・・内容物
３１，３２・・・Ｖノッチ
４１・・・再封方法説明表示印刷
４２・・・再封方法説明表示ラベル
４３・・・再封方法説明表示シート
５２・・・包装袋（実施例２）
５３・・・包装袋（実施例３）
５４・・・包装袋（実施例４）
【図１】
0003161665.tif 000003
【図２】
0003161665.tif 000004
【図３】
0003161665.tif 000005
【図４】
0003161665.tif 000006
【図５】
0003161665.tif 000007
【図６】
0003161665.tif 000008
【図７】
0003161665.tif 000009
【図８】
0003161665.tif 000010
【図９】
0003161665.tif 000011